(57)【特許請求の範囲】
【請求項１】
浴室の一方の側壁に沿って設けられると共に、前記浴室に設けられた浴槽と前記浴室の出入口を開閉する引き戸とされた浴室ドアとの間に亘って設けられた浴室側ベンチと、
前記浴室と前記浴室ドアを挟んで隣接する脱衣室に設けられると共に、前記脱衣室の一方の側壁に沿ってかつ前記浴室ドアを挟んで前記浴室側ベンチの隣に設けられた脱衣室側ベンチと、
前記浴室側ベンチ及び前記脱衣室側ベンチの浴室上側に設けられると共に前記浴室側ベンチ及び前記脱衣室側ベンチの長手方向に沿って設けられた手摺と、
前記浴室の一方の側壁に設けられると共に、建物平面視で前記手摺から突出しない位置に配置された水栓と、
前記浴室側ベンチと前記脱衣室側ベンチとの間に設けられていると共に、前記出入口を形成する側面に収容される収納状態と、前記浴室側ベンチの座面と前記脱衣室側ベンチの座面とを架け渡すベンチ使用状態とを選択的に取り得る連結部材と、
を備えた浴室設備。
【請求項２】
前記脱衣室における前記脱衣室側ベンチと対向した位置の床に水平方向に沿って回動する回動装置が設けられている、
請求項１記載の浴室設備。
【請求項３】
浴室の一方の側壁に沿って設けられると共に、前記浴室に設けられた浴槽と前記浴室の出入口を開閉する引き戸とされた浴室ドアとの間に亘って設けられた浴室側ベンチと、
前記浴室と前記浴室ドアを挟んで隣接する脱衣室に設けられると共に、前記脱衣室の一方の側壁に沿ってかつ前記浴室ドアを挟んで前記浴室側ベンチの隣に設けられた脱衣室側ベンチと、
前記浴室側ベンチ及び前記脱衣室側ベンチの浴室上側に設けられると共に前記浴室側ベンチ及び前記脱衣室側ベンチの長手方向に沿って設けられた手摺と、
前記浴室の一方の側壁に設けられると共に、建物平面視で前記手摺から突出しない位置に配置された水栓と、
前記脱衣室における前記脱衣室側ベンチと対向した位置の床に設けられていると共に、水平方向に沿って回動する回動装置と、
を備えた浴室設備。
【請求項４】
前記浴室ドアは、前記出入口における前記浴室側ベンチ及び前記脱衣室側ベンチが配置された側を開閉する第１ドアと、前記出入口における前記浴室側ベンチ及び前記脱衣室側ベンチが配置された側の反対側を開閉する第２ドアと、
を有した請求項１〜請求項３の何れか一項に記載の浴室設備。
【請求項５】
前記浴室側ベンチの浴室内側の側壁部は、浴室下側に向かうに連れて前記浴室の一方の側壁側へと傾けられており、
前記脱衣室側ベンチの脱衣室内側の側壁部は、脱衣室下側に向かうに連れて前記脱衣室の一方の側壁側へと傾けられている、
請求項１〜請求項４の何れか一項に記載の浴室設備。
【請求項６】
前記浴室側ベンチの座面における浴室内側の端部と前記脱衣室側ベンチの座面における脱衣室内側の端部とには、把持可能な形状に形成された把持部が形成されている、
請求項１〜請求項５の何れか１項に記載の浴室設備。
【請求項７】
前記浴室には、前記手摺より浴室外側にシャワーヘッドが接続されたシャワーホースが収容されている、
請求項１〜請求項６何れか１項に記載の浴室設備。
【発明の詳細な説明】
【技術分野】
【０００１】
本発明は、浴室設備に関する。
【背景技術】
【０００２】
下記特許文献１には、浴室設備が開示されている。具体的には、浴室と、脱衣室とにそれぞれベンチが設けられると共に、それぞれのベンチは浴室ドアを挟んで連続して設けられている。これにより、浴室ドアを開けた状態で脱衣室から浴室への移動及び浴室から脱衣室への移動をベンチに座りながら行うことができるので、浴室と脱衣室間の移動を安全に行うことができる。
【先行技術文献】
【特許文献】
【０００３】
【特許文献１】特開平０７−３０３５８０号公報
【発明の概要】
【発明が解決しようとする課題】
【０００４】
しかしながら、上記特許文献１に開示された浴室設備では、浴室におけるベンチが設けられる側の側壁と対向する側壁に水栓が設けられているため、ベンチに座った状態では水栓の操作ができない。つまり、ベンチに座った状態では水栓の操作やこれに伴うシャワーの使用を行うことができないため、ベンチから水栓まで立って移動しなければならず、この点で上記先行技術は改善の余地がある。
【０００５】
本発明は上記問題を考慮し、入浴時の移動を安全に行うことができる浴室設備を得ることを目的とする。
【課題を解決するための手段】
【０００６】
第１の態様に係る浴室設備は、浴室の一方の側壁に沿って設けられると共に、前記浴室に設けられた浴槽と前記浴室の出入口を開閉する引き戸とされた浴室ドアとの間に亘って設けられた浴室側ベンチと、前記浴室と前記浴室ドアを挟んで隣接する脱衣室に設けられると共に、前記脱衣室の一方の側壁に沿ってかつ前記浴室ドアを挟んで前記浴室側ベンチの隣に設けられた脱衣室側ベンチと、前記浴室側ベンチ及び前記脱衣室側ベンチの浴室上側に設けられると共に前記浴室側ベンチ及び前記脱衣室側ベンチの長手方向に沿って設けられた手摺と、前記浴室の一方の側壁に設けられると共に、建物平面視で前記手摺から突出しない位置に配置された水栓と、前記浴室側ベンチと前記脱衣室側ベンチとの間に設けられていると共に、前記出入口を形成する側面に収容される収納状態と、前記浴室側ベンチの座面と前記脱衣室側ベンチの座面とを架け渡すベンチ使用状態とを選択的に取り得る連結部材と、を備えている。
【０００７】
第２の態様に係る浴室設備は、第１の態様の浴室設備において、前記浴室ドアは、前記出入口における前記浴室側ベンチ及び前記脱衣室側ベンチが配置された側を開閉する第１ドアと、前記出入口における前記浴室側ベンチ及び前記脱衣室側ベンチが配置された側の反対側を開閉する第２ドアと、を有している。
【０００８】
第３の態様に係る浴室設備は、浴室の一方の側壁に沿って設けられると共に、前記浴室に設けられた浴槽と前記浴室の出入口を開閉する引き戸とされた浴室ドアとの間に亘って設けられた浴室側ベンチと、前記浴室と前記浴室ドアを挟んで隣接する脱衣室に設けられると共に、前記脱衣室の一方の側壁に沿ってかつ前記浴室ドアを挟んで前記浴室側ベンチの隣に設けられた脱衣室側ベンチと、前記浴室側ベンチ及び前記脱衣室側ベンチの浴室上側に設けられると共に前記浴室側ベンチ及び前記脱衣室側ベンチの長手方向に沿って設けられた手摺と、前記浴室の一方の側壁に設けられると共に、建物平面視で前記手摺から突出しない位置に配置された水栓と、前記脱衣室における前記脱衣室側ベンチと対向した位置の床に設けられていると共に、水平方向に沿って回動する回動装置と、を備えている。
【０００９】
第４の態様に係る浴室設備は、第１〜第３のいずれか一つの態様の浴室設備において、前記浴室側ベンチの座面における浴室内側の端部と前記脱衣室側ベンチの座面における脱衣室内側の端部とには、把持可能な形状に形成された把持部が形成されている。
【００１０】
第５の態様に係る浴室設備は、第１〜第４のいずれか一つの態様に係る浴室設備において、前記浴室側ベンチと前記脱衣室側ベンチとの間には、前記出入口を形成する側面に収容される収納状態と、前記浴室側ベンチの座面と前記脱衣室側ベンチの座面とを架け渡すベンチ使用状態とを選択的に取り得る連結部材が設けられている。
【００１１】
第６の態様に係る浴室設備は、第１〜第５のいずれか一つの態様に係る浴室設備において、前記脱衣室における前記脱衣室側ベンチと対向した位置の床に水平方向に沿って回動する回動装置が設けられている。
【００１２】
第７の態様に係る浴室設備は、第１〜第６のいずれか一つの態様に係る浴室設備において、前記浴室には、前記手摺より浴室外側にシャワーヘッドが接続されたシャワーホースが収容されている。
【００１３】
第１の態様によれば、浴室に設けられた浴室側ベンチと脱衣室に設けられた脱衣室側ベンチとは、浴室ドアを挟んで隣り合って設けられている。したがって、脱衣室から浴室へ移動する際は、脱衣室側ベンチに座った状態で浴室ドアを開けて脱衣室側ベンチから浴室側ベンチへと手摺を掴みながら移動することができるので、立って歩くことなく浴室へと移動することができる。浴室側ベンチは、浴槽と浴室ドアとの間に亘って設けられていることから、浴室側ベンチから浴槽へと座った状態で手摺を掴みながら移動することができるので、立って歩くことなく移動することができる。同様に、浴槽から脱衣室へ移動する際も、浴室側ベンチ及び脱衣室側ベンチに座りながら手摺を使って立って歩くことなく移動することができる。また、浴室側ベンチが設けられた浴室の一方の側壁に水栓が取り付けられていると共に、この水栓は手摺より側壁側に配置されていることから、浴室側ベンチに座った状態で水栓を操作することができる。さらに、水栓は手摺から突出しない位置にあることから、入浴者が浴室側ベンチに座って移動する際に水栓に当たることがない。つまり、座った状態で浴槽や脱衣室への移動及び水栓の操作を行うことができるので、入浴者は立って移動する必要がない。また、連結部材は、収納状態では出入口の側面に収容されるため、浴室ドアを閉じる際には連結部材が障害となることなく浴室ドアを閉めることができる。また、ベンチ使用状態では、浴室ドアが開いた状態でこの連結部材が浴室側ベンチと脱衣室側ベンチとに架け渡されて浴室側ベンチと脱衣室側ベンチとの間に形成されている出入口の隙間を埋めることから、浴室側ベンチと脱衣室側ベンチとの間の座りながらの移動をよりし易くすることができる。
【００１４】
第４の態様によれば、第１ドアを開くことで出入口における浴室側ベンチ及び脱衣室側ベンチが設けられた側が開放されるので、浴室側ベンチ及び脱衣室側ベンチに座って浴室と脱衣室間の移動をすることができる。また、第２ドアを開くことで、出入口における浴室側ベンチ及び脱衣室側ベンチが設けられた側の反対側、つまり浴室側ベンチ及び脱衣室側ベンチが設けられていない側が開放される。すなわち、第２ドア側の出入口は浴室側ベンチ及び脱衣室側ベンチがない分広い開口スペースが確保されるため、浴室側ベンチ及び脱衣室側ベンチを必要としない入浴者は第２ドア側から出入することで移動がし易くなる。
【００１５】
第５の態様によれば、浴室側ベンチ及び脱衣室側ベンチにおける浴室内側（脱衣室内側）の側壁部は、浴室下側（脱衣室下側）に向かうに連れて浴室外側（脱衣室外側）へと傾斜されている。したがって、側壁部の下方に空間が形成されるので、浴室側ベンチ及び脱衣室側ベンチに座っている入浴者が立ち上がるときや移動する際にこの空間に脚を引くことができる。これにより、入浴者が動きやすくなる。
【００１６】
また、側壁部の下方に形成される空間へ車椅子やシャワーチェア等の前部に設けられたフットレスト等を移動させることができる。これによって、車椅子の座面を浴室側ベンチの座面及び脱衣室側ベンチの座面により近づけることができるため、車椅子と浴室側ベンチ間及び車椅子と脱衣室側ベンチ間の入浴者の移動の負担を減らすことができる。
【００１７】
第６の態様によれば、浴室側ベンチの座面及び脱衣室側ベンチの座面における浴室内側（脱衣室内側）の端部には、把持部が形成されている。つまり、浴室側ベンチ及び脱衣室側ベンチに座った状態で把持し易い位置である座面の浴室内側（脱衣室内側）の端部に把持部が形成されていることから、浴室側ベンチ及び脱衣室側ベンチに座った状態での移動が把持部を掴んで移動することで楽に行うことができる。
【００１９】
第２、３の態様によれば、脱衣室側ベンチと対向した位置の床に回動装置が設けられていることから、この回動装置によって入浴者の向きを容易に転回させることができる。したがって、車椅子等で脱衣室に入室した際に入浴者が脱衣室側ベンチと向き合う場合でも、回動装置によって脱衣室側ベンチに座ることができる向きへと転回されるので、脱衣室が狭く車椅子の方向転回ができない場合においても楽に車椅子と脱衣室側ベンチ間の移動を行うことができる。
【００２０】
第７の態様によれば、シャワーホースが手摺より浴室外側に収容されていることで、浴室側ベンチに座りながら移動する際にシャワーホースが邪魔にならない。したがって、浴室側ベンチに座りながらの移動がより一層容易に行うことができる。
【発明の効果】
【００２１】
以上説明したように、本発明に係る浴室設備は、入浴時の移動を安全に行うことができるという優れた効果を有する。
【図面の簡単な説明】
【００２２】
【図１】第１実施形態に係る浴室設備を有する浴室及び脱衣室を示す平断面図である。
【図２】第１実施形態に係る浴室設備を有する浴室及び脱衣室を示す側断面図である。
【図３】第１実施形態に係る浴室設備を有する浴室を浴室ドアの出入口から見た状態を示す断面図である。
【図４】図３における浴室側ベンチの使用状態を示す概略図である。
【図５】（Ａ）は第１実施形態に係る浴室設備における浴室ドアが閉じた状態を示す浴室ドアの正面図であり、（Ｂ）は（Ａ）に対し第１ドア側を開けた状態を示す浴室ドアの正面図であり、（Ｃ）は（Ａ）に対し第２ドア側を開けた状態を示す浴室ドアの正面図である。
【図６】（Ａ）は第１実施形態に係る浴室設備における連結部材の収納状態を示す概略斜視図であり、（Ｂ）は（Ａ）に対しベンチ使用状態を示す概略斜視図である。
【図７】第２実施形態に係る浴室設備を有する浴室及び脱衣室を示す平断面図である。
【発明を実施するための形態】
【００２３】
（第１実施形態）
以下、図１〜６を用いて、本発明に係る浴室設備の第１実施形態について説明する。
【００２４】
図１に示されるように、建物１０には浴室１２と脱衣室１４が設けられている。この浴室１２は、ユニットバスとされており、浴室１２と脱衣室１４とは浴室１２の出入口１５を開閉する浴室ドア１６を挟んで隣接して配置されている。
【００２５】
浴室１２には、一方に浴槽１８と、この浴槽１８の反対側に洗い場２０とが設けられており、浴槽１８と洗い場２０との境には浴槽エプロン２２が形成されている。また、浴槽１８と洗い場２０の下側には、支持体２４が設けられており、浴室１２はこの支持体２４を介して建物１０の床面２６に設置されている（図２、３参照）。
【００２６】
浴室１２における一方の側壁２８の浴室下側には、カウンタ３０が設けられている。このカウンタ３０は、側壁２８に沿って水平方向に延設されている。また、洗い場２０におけるカウンタ３０には、側壁２８に沿って浴室側ベンチ３２が形成されている。この浴室側ベンチ３２は、水平方向に延設されていると共に、長手方向の一方の端部が浴槽エプロン２２の近傍に配設され、長手方向の他方の端部が浴室ドア１６と対向した位置に配設されている。さらに、浴室側ベンチ３２は、座面３４と側壁部３６とを含んで構成されており、長手方向に直交する断面が略矩形状とされている（図３参照）。座面３４の浴室上下方向の高さは、浴槽１８の上面３８と略同一に設定されている（図２参照）。
【００２７】
浴室側ベンチ３２の座面３４には、クッション４０が取り付けられている。このクッション４０は、表面が適度に滑る素材によって構成されている。また、座面３４の浴室内側の端部には、把持部４２が形成されている。この把持部４２は、図４に示されるように、座面３４の先端部に形成される湾曲部４４と、湾曲部４４の下方かつカウンタ３０側に設けられて開口が浴室下側へと向けられた凹部４６とで構成されている。湾曲部４４は、浴室側ベンチ３２の長手方向に直交する断面形状が略円形状とされており、この略円形状の径寸法は入浴者Ｐが把持しやすい大きさに設定されている。
【００２８】
浴室側ベンチ３２の側壁部３６は、凹部４６におけるカウンタ３０側の端部から洗い場２０の床面２６と離間して設けられた底壁部４８における浴室内側の端部との間に設けられている。側壁部３６は、浴室下側に向かうに連れてカウンタ３０側へと傾斜されている。これにより、座面３４の浴室下側には、空間５０が形成されている。
【００２９】
浴室側ベンチ３２の浴室上側には、手摺５２が設けられている。この手摺５２は、支持部材５４を介してカウンタ３０に取り付けられており、カウンタ３０に沿って水平方向に延設されている。この手摺５２の長手方向の一方の端部は、浴室１２の側壁５６の近傍に配設され、長手方向の他方の端部が浴室ドア１６と対向した位置に配設されている（図１参照）。また、手摺５２は、長手方向に直交する断面形状が矩形状とされており、浴室上下方向を長手方向として取り付けられている。
【００３０】
図３に示されるように、カウンタ３０の浴室上側には、水栓５８と、シャワー６０とが設けられている。この水栓５８は、浴室１２の側壁２８に取り付けられた本体部６２と、本体部６２に取り付けられて略水平方向に回動可能とされた吐水部６４と、を有している。本体部６２は、図１に示されるように、平面視で手摺５２より側壁２８側に配置されている。また、吐水部６４は側壁２８に対して略垂直となる位置Ａ（使用状態）では手摺５２より浴室内側へ突出すると共に、側壁２８に対して略平行となる位置Ｂ（収納状態）では手摺５２より側壁２８側に配置される。つまり、吐水部６４は、収納状態では手摺５２より突出しない状態となる。
【００３１】
シャワー６０は、シャワーヘッド６６と図示しないシャワーホースとを含んで構成されている。シャワーヘッド６６は、カウンタ３０の浴室上側に設けられたシャワーホルダ６８（図２、３参照）と、側壁２８に取り付けられているスライド式シャワーホルダ６９とに選択的に保持されている。また、シャワーホースはカウンタ３０の上面に設けられた図示しないホース孔に挿通されてカウンタ３０の内部に収容されている。これにより、シャワーホースが手摺５２より浴室内側へと配置されない構成とされている。
【００３２】
脱衣室１４の一方の側壁７２には、脱衣室出入口７０が設けられている。この脱衣室出入口７０には、一例として引き戸の脱衣室ドア７４が設けられており、脱衣室ドア７４を開けて図示しない居室から脱衣室１４への出入りが行われる。
【００３３】
脱衣室１４における脱衣室出入口７０が設けられた側壁７２と対向する側壁７８には、この側壁７８に沿って洗濯機パン８０と洗面台８２と脱衣室側ベンチ８４とが設けられている。このうち、脱衣室側ベンチ８４は、浴室ドア１６側に水平方向に沿って配置されており、側壁７８の脱衣室下側に設けられた腰壁８６（図２参照）を介して側壁７８に取り付けられている。この腰壁８６の脱衣室上側には腰壁笠木８８が取り付けられており、腰壁笠木８８の上面と浴室１２のカウンタ３０の上面とは略同一面上に配置されるように設定されている。
【００３４】
脱衣室側ベンチ８４は、浴室側ベンチ３２と同様に、座面９０と側壁部３６とクッション４０を含んで構成されており、長手方向に直交する断面が略矩形状とされている。座面９０の脱衣室上下方向の高さは、浴室側ベンチ３２の座面３４と同一に設定されている。つまり、浴室側ベンチ３２と脱衣室側ベンチ８４とは、浴室ドア１６を挟んで連続して構成されている。
【００３５】
脱衣室側ベンチ８４の脱衣室上側には、手摺９４が設けられている。この手摺９４は、脱衣室側ベンチ８４の長手方向に沿って延設されており、支持部材５４を介して腰壁８６に取り付けられている。また、手摺９４は、長手方向に直交する断面形状や、取り付け位置の脱衣室上下方向での高さが浴室１２の手摺５２と同一に設定されている。つまり、浴室１２の手摺５２と脱衣室１４の手摺９４とは、浴室ドア１６を挟んで連続して構成されている。
【００３６】
図５（Ａ）に示されるように、浴室ドア１６は引き戸とされており、第１ドア９６と、第２ドア９８と、第３ドア１００とによって構成されている。第１ドア９６と第２ドア９８と第３ドア１００とは、略同一の形状及び寸法とされており、浴室ドア１６が閉じた状態では第１ドア９６の浴室１２側に第３ドア１００が重なり、第３ドア１００の浴室１２側に第２ドア９８が重なるように配置されている（図１参照）。
【００３７】
図５（Ｂ）に示されるように、浴室ドア１６を図５（Ａ）に示される全閉状態から第１ドア９６及び第３ドア１００を第２ドア９８側へ開くと、出入口１５の端部１０４側が開放される。すなわち、出入口１５における浴室側ベンチ３２及び脱衣室側ベンチ８４が配置された側が開放されるので、入浴者Ｐが浴室側ベンチ３２及び脱衣室側ベンチ８４に座った状態で移動することが可能となる。
【００３８】
図５（Ｃ）に示されるように、浴室ドア１６を図５（Ａ）に示される全閉状態から第２ドア９８及び第３ドア１００を第１ドア９６側へ開くと、出入口１５の端部１０６側が開放される。すなわち、出入口１５における浴室側ベンチ３２及び脱衣室側ベンチ８４が配置されていない側が開放されるので、大きい開口スペースが開放されて浴室側ベンチ３２及び脱衣室側ベンチ８４を使用せずに歩いて移動する入浴者Ｐ２が移動し易い状態となる。
【００３９】
図６（Ａ）に示されるように、出入口１５の端部１０４における側面１０８には、連結部材１１０が設けられている。この連結部材１１０は、略矩形板状に形成され、長手方向における一方の端部に設けられかつ側面１０８に取り付けられたヒンジ１１２を中心に浴室上下方向に回動可能とされている。そして、側面１０８と平行に配置された状態が請求項５記載の「収納状態」に相当する。収納状態では、側面１０８に対し連結部材１１０は略同一面上に配置される。これによって、浴室ドア１６が閉じた状態での側面１０８と、この側面１０８に対向する第１ドア９６の端部とが隙間なく均一に当接される。
【００４０】
図６（Ｂ）に示されるように、浴室ドア１６の第１ドア９６が開いた状態で連結部材１１０を浴室側ベンチ３２の座面３４及び脱衣室側ベンチ８４の座面９０とに当接するように回動させると、浴室側ベンチ３２の座面３４及び脱衣室側ベンチ８４の座面９０とに連結部材１１０が架け渡され、これによって出入口１５による隙間が塞がれる。これによって、浴室側ベンチ３２の座面３４と脱衣室側ベンチ８４の座面９０とが連続した状態となる。この状態が、請求項５記載の「ベンチ使用状態」に相当する。
【００４１】
（第１実施形態の作用・効果）
次に、本実施形態の作用並びに効果を説明する。
【００４２】
図１〜３に示されるように、浴室１２に設けられた浴室側ベンチ３２と脱衣室１４に設けられた脱衣室側ベンチ８４とは、浴室ドア１６を挟んで連続して設けられている。したがって、脱衣室１４から浴室１２へ移動する際は、脱衣室側ベンチ８４に座った状態で浴室ドア１６を開けて脱衣室側ベンチ８４から浴室側ベンチ３２へと手摺９４、５２を掴みながら移動することができるので、立って歩くことなく浴室１２へと移動することができる。浴室側ベンチ３２は、浴槽１８と浴室ドア１６との間に亘って設けられていることから、浴室側ベンチ３２から浴槽１８へと座った状態で手摺５２を掴みながら移動することができるので、立って歩くことなく移動することができる。同様に、浴槽１８から脱衣室１４へ移動する際も、浴室側ベンチ３２及び脱衣室側ベンチ８４に座りながら手摺５２を使って立って歩くことなく移動することができる。また、浴室側ベンチ３２が設けられた浴室１２の一方の側壁２８に水栓５８が取り付けられていると共に、この水栓５８の本体部６２は手摺５２より側壁２８側に配置されていることから、浴室側ベンチ３２に座った状態で水栓５８を操作することができる。さらに、水栓５８の吐水部６４は手摺５２から突出しない位置に回動させることができることから、入浴者Ｐが浴室側ベンチ３２に座って移動する際に水栓５８の吐水部６４に当たることがない。つまり、座った状態で浴槽１８や脱衣室１４への移動及び水栓５８の操作を行うことができるので、入浴者Ｐは立って移動する必要がない。これにより、入浴時の移動を安全に行うことができる。
【００４３】
さらに、水栓５８の吐水部６４は、使用状態では手摺５２より浴室内側へ突出することから、使用時には手摺５２によって遮られることなく使用することができる。さらにまた、手摺５２、９４は浴室側ベンチ３２及び浴室側ベンチ３２の浴室上側（脱衣室上側）に設けられていることから、図４に示されるように背もたれとしても使用することができる。これにより、安定した状態で座ることができる。
【００４４】
また、第１ドア９６を開くことで出入口１５における浴室側ベンチ３２及び脱衣室側ベンチ８４が設けられた側である端部１０４が開放されるので、浴室側ベンチ３２及び脱衣室側ベンチ８４に座って浴室１２と脱衣室１４間の移動をすることができる。また、第２ドア９８を開くことで、出入口１５における浴室側ベンチ３２及び脱衣室側ベンチ８４が設けられていない側である端部１０６が開放される。すなわち、第２ドア９８側の出入口１５は浴室側ベンチ３２及び脱衣室側ベンチ８４がない分広い開口スペースが確保されるため、浴室側ベンチ３２及び脱衣室側ベンチ８４を必要としない入浴者Ｐ２は第２ドア９８側から出入することで移動がし易くなる（図５（Ｃ）参照）。
【００４５】
さらに、浴室側ベンチ３２及び脱衣室側ベンチ８４における浴室内側（脱衣室内側）の側壁部３６は、浴室下側（脱衣室下側）に向かうに連れて浴室外側（脱衣室外側）へと傾斜されている。したがって、側壁部３６の下方に空間５０が形成されるので、浴室側ベンチ３２及び脱衣室側ベンチ８４に座っている入浴者Ｐが立ち上がるときや移動する際にこの空間５０に脚を引くことができる。これにより、入浴者Ｐが動きやすくなる。
【００４６】
また、側壁部３６の下方に形成される空間５０へ車椅子１２６や図示しないシャワーチェア等の前部に設けられたフットレスト１２８等を移動させることができる（図３参照）。これによって、車椅子１２６の座面を浴室側ベンチ３２の座面３４及び脱衣室側ベンチ８４の座面９０により近づけることができるため、車椅子１２６と浴室側ベンチ３２間及び車椅子１２６と脱衣室側ベンチ８４間の入浴者Ｐの移動の負担を減らすことができる。
【００４７】
さらにまた、浴室側ベンチ３２の座面３４及び脱衣室側ベンチ８４の座面９０における浴室内側（脱衣室内側）の端部には、把持部４２が形成されている。つまり、浴室側ベンチ３２及び脱衣室側ベンチ８４に座った状態で把持し易い位置である座面３４の浴室内側（脱衣室内側）の端部に把持部４２が形成されていることから、浴室側ベンチ３２及び脱衣室側ベンチ８４に座った状態での移動が把持部４２を掴んで移動することで楽に行うことができる。この把持部４２は、座面３４の先端部に形成される湾曲部４４と、湾曲部４４の下方かつカウンタ３０側に設けられて開口が浴室下側（脱衣室下側）へと向けられた凹部４６とで構成されている。したがって、把持したときの指先を凹部４６内に挿入させることで湾曲部４４を深く把持できるので、少ない力で確実に把持することができる。
【００４８】
また、連結部材１１０は、収納状態では出入口１５の側面１０８内に収容されるため、浴室ドア１６を閉じる際には連結部材１１０が障害となることなく浴室ドア１６を閉めることができる。また、ベンチ使用状態では、浴室ドア１６が開いた状態でこの連結部材１１０が浴室側ベンチ３２と脱衣室側ベンチ８４とに架け渡されて浴室側ベンチ３２と脱衣室側ベンチ８４との間に形成されている出入口１５の隙間を埋めることから、浴室側ベンチ３２と脱衣室側ベンチ８４との間の座りながらの移動をよりし易くすることができる。
【００４９】
さらに、シャワーホースが手摺５２より浴室外側に収容されていることで、浴室側ベンチ３２に座りながら移動する際にシャワーホースが邪魔にならない。したがって、浴室側ベンチ３２に座りながらの移動がより一層容易に行うことができる。
【００５０】
（第２実施形態）
次に、図７を用いて、本発明の第２実施形態に係る浴室設備について説明する。なお、前述した第１実施形態等と同一構成部分については、同一番号を付してその説明を省略する。
【００５１】
この第２実施形態に係る浴室設備は、基本的な構成は第１実施形態と同様とされ、脱衣室１１６に回動装置１１８が形成されている点に特徴がある。
【００５２】
すなわち、図７に示されるように、脱衣室１１６に設けられる脱衣室側ベンチ８４と対向した位置の床１２０には、水平方向に沿って回動可能とされた回動装置１１８が設けられている。この回動装置１１８は、平面視で円形状に形成された回動盤１２２と、この回動盤１２２に接続された図示しない駆動手段とを含んで構成されている。この駆動手段は、図示しないスイッチによって操作可能とされており、回動盤１２２を平面視で時計回りや反時計回りに回動させることが可能とされている。なお、本実施形態では、回動装置１１８はスイッチ操作により自動で作動する構成とされているが、これに限らず、手動で作動する構成としてもよい。
【００５３】
回動盤１２２は、入浴者Ｐが乗ることができるサイズに設定されている。したがって、入浴者Ｐが回動装置１１８によってその場で向きを変えることが可能とされている。
【００５４】
（第２実施形態の作用・効果）
次に、第２実施形態の作用並びに効果を説明する。
【００５５】
上記構成によれば、第１実施形態と同様、図１〜３に示されるように、浴室１２に設けられた浴室側ベンチ３２と脱衣室１４に設けられた脱衣室側ベンチ８４とは、浴室ドア１６を挟んで連続して設けられている。したがって、脱衣室１１６から浴室１２へ移動する際は、脱衣室側ベンチ８４に座った状態で浴室ドア１６を開けて脱衣室側ベンチ８４から浴室側ベンチ３２へと手摺９４、５２を掴みながら移動することができるので、立って歩くことなく浴室１２へと移動することができる。浴室側ベンチ３２は、浴槽１８と浴室ドア１６との間に亘って設けられていることから、浴室側ベンチ３２から浴槽１８へと座った状態で手摺５２を掴みながら移動することができるので、立って歩くことなく移動することができる。同様に、浴槽１８から脱衣室１１６へ移動する際も、浴室側ベンチ３２及び脱衣室側ベンチ８４に座りながら手摺５２を使って立って歩くことなく移動することができる。また、浴室側ベンチ３２が設けられた浴室１２の一方の側壁２８に水栓５８が取り付けられていると共に、この水栓５８の本体部６２は手摺５２より側壁２８側に配置されていることから、浴室側ベンチ３２に座った状態で水栓５８を操作することができる。また、水栓５８の吐水部６４は手摺５２から突出しない位置に回動させることができることから、入浴者Ｐが浴室側ベンチ３２に座って移動する際に水栓５８の吐水部６４に当たることがない。つまり、座った状態で浴槽１８や脱衣室１１６への移動及び水栓５８の操作を行うことができるので、入浴者Ｐは立って移動する必要がない。これにより、入浴時の移動を安全に行うことができる。
【００５６】
さらに、水栓５８の吐水部６４は、使用状態では手摺５２より浴室内側へ突出することから、使用時には手摺５２によって遮られることなく使用することができる。さらにまた、手摺５２、９４は浴室側ベンチ３２及び浴室側ベンチ３２の浴室上側（脱衣室上側）に設けられていることから、図４に示されるように背もたれとしても使用することができる。これにより、安定した状態で座ることができる。
【００５７】
また、第１ドア９６を開くことで出入口１５における浴室側ベンチ３２及び脱衣室側ベンチ８４が設けられた側である端部１０４が開放されるので、浴室側ベンチ３２及び脱衣室側ベンチ８４に座って浴室１２と脱衣室１１６間の移動をすることができる。また、第２ドア９８を開くことで、出入口１５における浴室側ベンチ３２及び脱衣室側ベンチ８４が設けられていない側である端部１０６が開放される。すなわち、第２ドア９８側の出入口１５は浴室側ベンチ３２及び脱衣室側ベンチ８４がない分広い開口スペースが確保されるため、浴室側ベンチ３２及び脱衣室側ベンチ８４を必要としない入浴者Ｐ２は第２ドア９８側から出入することで移動がし易くなる（図５（Ｃ）参照）。
【００５８】
さらに、浴室側ベンチ３２及び脱衣室側ベンチ８４における浴室内側（脱衣室内側）の側壁部３６は、浴室下側（脱衣室下側）に向かうに連れて浴室外側（脱衣室外側）へと傾斜されている。したがって、側壁部３６の下方に空間５０が形成されるので、浴室側ベンチ３２及び脱衣室側ベンチ８４に座っている入浴者Ｐが立ち上がるときや移動する際にこの空間５０に脚を引くことができる。これにより、入浴者Ｐが動きやすくなる。
【００５９】
また、側壁部３６の下方に形成される空間５０へ車椅子１２６や図示しないシャワーチェア等の前部に設けられたフットレスト１２８等を移動させることができる（図３参照）。これによって、車椅子１２６の座面を浴室側ベンチ３２の座面３４及び脱衣室側ベンチ８４の座面９０により近づけることができるため、車椅子１２６と浴室側ベンチ３２間及び車椅子１２６と脱衣室側ベンチ８４間の入浴者Ｐの移動の負担を減らすことができる。
【００６０】
さらにまた、浴室側ベンチ３２の座面３４及び脱衣室側ベンチ８４の座面９０における浴室内側（脱衣室内側）の端部には、把持部４２が形成されている。つまり、浴室側ベンチ３２及び脱衣室側ベンチ８４に座った状態で把持し易い位置である座面３４の浴室内側（脱衣室内側）の端部に把持部４２が形成されていることから、浴室側ベンチ３２及び脱衣室側ベンチ８４に座った状態での移動が把持部４２を掴んで移動することで楽に行うことができる。この把持部４２は、座面３４の先端部に形成される湾曲部４４と、湾曲部４４の下方かつカウンタ３０側に設けられて開口が浴室下側（脱衣室下側）へと向けられた凹部４６とで構成されている。したがって、把持したときの指先を凹部４６内に挿入させることで湾曲部４４を深く把持できるので、少ない力で確実に把持することができる。
【００６１】
また、連結部材１１０は、収納状態では出入口１５の側面１０８内に収容されるため、浴室ドア１６を閉じる際には連結部材１１０が障害となることなく浴室ドア１６を閉めることができる。また、ベンチ使用状態では、浴室ドア１６が開いた状態でこの連結部材１１０が浴室側ベンチ３２と脱衣室側ベンチ８４とに架け渡されて浴室側ベンチ３２と脱衣室側ベンチ８４との間に形成されている出入口１５の隙間を埋めることから、浴室側ベンチ３２と脱衣室側ベンチ８４との間の座りながらの移動をよりし易くすることができる。
【００６２】
さらに、シャワーホースが手摺５２より浴室外側に収容されていることで、浴室側ベンチ３２に座りながら移動する際にシャワーホースが邪魔にならない。したがって、浴室側ベンチ３２に座りながらの移動がより一層容易に行うことができる。
【００６３】
さらにまた、脱衣室側ベンチ８４と対向した位置の床１２０に回動装置１１８が設けられていることから、この回動装置１１８によって入浴者Ｐの向きを容易に転回させることができる。したがって、車椅子１２６で脱衣室１１６に入室した際に入浴者Ｐが脱衣室側ベンチ８４と向き合う場合でも、回動装置１１８によって脱衣室側ベンチ８４に座ることができる向きへと転回されるので、脱衣室１１６が狭く車椅子１２６の方向転回ができない場合においても楽に車椅子１２６と脱衣室側ベンチ８４間の移動を行うことができる。
【００６４】
なお、上述した第１、２実施形態では、浴室ドア１６が第１ドア９６、第２ドア９８及び第３ドア１００の三枚による構成とされているが、これに限らず、第１ドア９６及び第２ドア９８の２枚による構成としてもよいし、４枚以上の複数のドアによる構成としてもよい。
【００６５】
以上、本発明の実施形態について説明したが、本発明は、上記に限定されるものでなく、その主旨を逸脱しない範囲内において上記以外にも種々変形して実施することが可能であることは勿論である。
【符号の説明】
【００６６】
１２   浴室
１４   脱衣室
１５   出入口
１６   浴室ドア
１８   浴槽
２８   側壁
３２   浴室側ベンチ
３４   座面
３６   側壁部
４２   把持部
５２   手摺
５８   水栓
６６   シャワーヘッド
７８   側壁
８４   脱衣室側ベンチ
９０   座面
９４   手摺
９６   第１ドア
９８   第２ドア
１０８ 側面
１１０ 連結部材
１１８ 回動装置
１２０ 床
【図１】
0006470575.tif 000002
【図２】
0006470575.tif 000003
【図３】
0006470575.tif 000004
【図４】
0006470575.tif 000005
【図５】
0006470575.tif 000006
【図６】
0006470575.tif 000007
【図７】
0006470575.tif 000008